(57)【要約】【課題】ＰＯＳ端末に釣銭機が接続された貨幣処理システムを用いて決済処理を行う場合に、状況に応じて効率良く顧客の待ち時間を低減することを課題とする。【解決手段】販売する商品の合計金額を特定し、釣銭金額の入力を受け付けたならば、顧客から受け取った貨幣の計数処理及び収納処理に先立って、レシートを発行するようにした。そして、レシートを発行した後に、顧客から受け取った貨幣の計数処理及び収納処理を行い、計数処理結果と、商品の合計金額との整合性を判定するようにした。【選択図】図１
2017049944.tif 000002
【特許請求の範囲】
【請求項１】
販売商品の決済処理を行う決済装置と、少なくとも貨幣の受付処理及び収納処理を行う釣銭機とが接続された貨幣処理システムであって、
少なくとも前記販売商品の決済情報が印字された記録媒体を発行する記録媒体発行部と、
所定の条件を満たす場合に、前記釣銭機における前記貨幣の受付処理が行われていない場合であっても前記記録媒体発行部による記録媒体を発行するよう制御する制御部と
を備えたことを特徴とする貨幣処理システム。
【請求項２】
前記制御部は、
前記釣銭機における前記貨幣の受付処理が行われていない場合であっても前記記録媒体発行部による記録媒体を発行するよう制御した場合に、少なくとも前記釣銭機における前記貨幣の受付処理及び該貨幣の収納処理を終えたことを条件として、他の販売商品の決済処理を可能とする
ことを特徴とする請求項１に記載の貨幣処理システム。
【請求項３】
前記制御部は、
所定の条件を満たす場合に、前記釣銭機における前記貨幣の受付処理が行われていない場合であっても前記釣銭機における釣銭の払出処理を行うよう制御する
ことを特徴とする請求項１に記載の貨幣処理システム。
【請求項４】
前記決済装置に登録された売上金額と、前記釣銭機に収納された貨幣の金額と、前記釣銭機から払い出された釣銭の金額とが不整合であることを条件として、所定の警報を報知する報知手段
をさらに備えたことを特徴とする請求項３に記載の貨幣処理システム。
【請求項５】
前記決済装置に登録された売上金額と、前記釣銭機に収納された貨幣の金額と、前記釣銭機から払い出された釣銭の金額とが不整合であることを条件として、前記決済装置における決済処理の識別情報、前記決済装置の操作者の識別情報及び／又は不整合の内容を記憶する記憶手段
をさらに備えたことを特徴とする請求項３又は４に記載の貨幣処理システム。
【請求項６】
前記制御部は、
前記決済装置に接続された所定の装置から所定の指示を受け付けた場合に、前記所定の条件を満たすとみなして、前記釣銭機における前記貨幣の受付処理が行われていない場合であっても前記記録媒体発行部による記録媒体を発行するよう制御する
ことを特徴とする請求項１〜５のいずれか一つに記載の貨幣処理システム。
【請求項７】
前記制御部は、
前記釣銭機が所定の操作を受け付けた場合に、前記所定の条件を満たすとみなして、前記釣銭機における前記貨幣の受付処理が行われていない場合であっても前記記録媒体発行部による記録媒体を発行するよう制御する
ことを特徴とする請求項１〜５のいずれか一つに記載の貨幣処理システム。
【請求項８】
販売商品の決済処理を行う決済装置に接続され、貨幣の受付処理、収納処理及び釣銭の払出処理を行う貨幣処理装置であって、
前記決済装置に登録された売上金額を取得する取得手段と、
所定の条件を満たす場合に、前記貨幣の受付処理が行われていない場合であっても、前記取得手段により取得した売上金額に基づいて釣銭金額を算出し、算出した釣銭金額に対する前記釣銭の払出処理を行うよう制御する制御部と
を備えたことを特徴とする貨幣処理装置。
【請求項９】
販売商品の決済処理を行う決済装置と、少なくとも貨幣の受付処理及び収納処理を行う釣銭機とが接続された貨幣処理システムにおける貨幣処理方法であって、
所定の条件を満たすか否かを判定する判定ステップと、
前記判定ステップにより所定の条件を満たすと判定された場合に、前記釣銭機における前記貨幣の受付処理が行われていなくても、少なくとも前記販売商品の決済情報が印字された記録媒体を発行するよう制御する制御ステップと
を含んだことを特徴とする貨幣処理方法。
【発明の詳細な説明】
【技術分野】
【０００１】
この発明は、スーパーマーケットやコンビニエンスストア等の流通店舗において、顧客から受け渡された貨幣を釣銭機に収納するとともに、必要に応じて釣銭機から釣銭の払い出しを行う貨幣処理システム、貨幣処理装置及び貨幣処理方法に関する。
【背景技術】
【０００２】
従来、流通店舗で商品を販売する場合、店員は、商品の合計金額に応じた貨幣を顧客から受け取り、受け取った貨幣から商品の合計金額を差し引いた釣銭を顧客に受け渡す処理を行う。これらの一連の決済処理を効率的かつ誤りなく行えるようにするために、流通店舗では、ＰＯＳ端末に釣銭機を接続した貨幣処理システムが導入されることが多い（特許文献１参照）。
【０００３】
この種の貨幣処理システムでは、店員がＰＯＳ端末で商品の販売登録を行うと、ＰＯＳ端末が商品の合計金額を算出する。一方、店員が顧客から受け取った貨幣を釣銭機に投入すると、ＰＯＳ端末が釣銭機に投入された貨幣の金額（受取金額）から商品の合計金額を減算し、釣銭の金額を算定する。そして、店員は、釣銭機から払い出された釣銭と、ＰＯＳ端末から発行されたレシートを顧客に返却することになる。なお、このレシートには、商品の合計金額、受取金額及び釣銭金額等が印字される。
【先行技術文献】
【特許文献】
【０００４】
【特許文献１】特許第５５９８５１４号公報
【発明の概要】
【発明が解決しようとする課題】
【０００５】
しかしながら、上記従来技術によれば、店員は、顧客から貨幣を受け取ったならば、この貨幣を釣銭機に投入しなければ、ＰＯＳ端末からレシートが発行されず、商品の決済処理が終了しない。その結果、店員が全ての貨幣を釣銭機に投入し、投入した貨幣が釣銭機の内部に収納されるまでの間、顧客は待たなければならない。
【０００６】
これらのことから、ＰＯＳ端末に釣銭機が接続された貨幣処理システムを用いて決済処理を行う場合に、いかにして顧客の待ち時間を低減するかが重要な課題となっている。
【０００７】
本発明は、上記の従来技術の課題を解決するためになされたものであって、ＰＯＳ端末に釣銭機が接続された貨幣処理システムを用いて決済処理を行う場合に、状況に応じて効率良く顧客の待ち時間を低減することができる貨幣処理システム、貨幣処理装置及び貨幣処理方法を提供することを目的とする。
【課題を解決するための手段】
【０００８】
上述した課題を解決し、目的を達成するため、本発明は、販売商品の決済処理を行う決済装置と、少なくとも貨幣の受付処理及び収納処理を行う釣銭機とが接続された貨幣処理システムであって、少なくとも前記販売商品の決済情報が印字された記録媒体を発行する記録媒体発行部と、所定の条件を満たす場合に、前記釣銭機における前記貨幣の受付処理が行われていない場合であっても前記記録媒体発行部による記録媒体を発行するよう制御する制御部とを備えたことを特徴とする。
【０００９】
また、本発明は、上記発明において、前記制御部は、前記釣銭機における前記貨幣の受付処理が行われていない場合であっても前記記録媒体発行部による記録媒体を発行するよう制御した場合に、少なくとも前記釣銭機における前記貨幣の受付処理及び該貨幣の収納処理を終えたことを条件として、他の販売商品の決済処理を可能とすることを特徴とする。
【００１０】
また、本発明は、上記発明において、前記制御部は、所定の条件を満たす場合に、前記釣銭機における前記貨幣の受付処理が行われていない場合であっても前記釣銭機における釣銭の払出処理を行うよう制御することを特徴とする。
【００１１】
また、本発明は、上記発明において、前記決済装置に登録された売上金額と、前記釣銭機に収納された貨幣の金額と、前記釣銭機から払い出された釣銭の金額とが不整合であることを条件として、所定の警報を報知する報知手段をさらに備えたことを特徴とする。
【００１２】
また、本発明は、上記発明において、前記決済装置に登録された売上金額と、前記釣銭機に収納された貨幣の金額と、前記釣銭機から払い出された釣銭の金額とが不整合であることを条件として、前記決済装置における決済処理の識別情報、前記決済装置の操作者の識別情報及び／又は不整合の内容を記憶する記憶手段をさらに備えたことを特徴とする。
【００１３】
また、本発明は、上記発明において、前記制御部は、前記決済装置に接続された所定の装置から所定の指示を受け付けた場合に、前記所定の条件を満たすとみなして、前記釣銭機における前記貨幣の受付処理が行われていない場合であっても前記記録媒体発行部による記録媒体を発行するよう制御することを特徴とする。
【００１４】
また、本発明は、上記発明において、前記制御部は、前記釣銭機が所定の操作を受け付けた場合に、前記所定の条件を満たすとみなして、前記釣銭機における前記貨幣の受付処理が行われていない場合であっても前記記録媒体発行部による記録媒体を発行するよう制御することを特徴とする。
【００１５】
また、本発明は、販売商品の決済処理を行う決済装置に接続され、貨幣の受付処理、収納処理及び釣銭の払出処理を行う貨幣処理装置であって、前記決済装置に登録された売上金額を取得する取得手段と、所定の条件を満たす場合に、前記貨幣の受付処理が行われていない場合であっても、前記取得手段により取得した売上金額に基づいて釣銭金額を算出し、算出した釣銭金額に対する前記釣銭の払出処理を行うよう制御する制御部とを備えたことを特徴とする。
【００１６】
また、本発明は、販売商品の決済処理を行う決済装置と、少なくとも貨幣の受付処理及び収納処理を行う釣銭機とが接続された貨幣処理システムにおける貨幣処理方法であって、所定の条件を満たすか否かを判定する判定ステップと、前記判定ステップにより所定の条件を満たすと判定された場合に、前記釣銭機における前記貨幣の受付処理が行われていなくても、少なくとも前記販売商品の決済情報が印字された記録媒体を発行するよう制御する制御ステップとを含んだことを特徴とする。
【発明の効果】
【００１７】
本発明によれば、所定の条件を満たすか否かを判定し、所定の条件を満たすと判定された場合に、貨幣の受付処理及び収納処理を行う釣銭機における貨幣の受付処理が行われていなくても、少なくとも販売商品の決済情報が印字された記録媒体を発行するように制御するよう構成したので、決済処理を行う場合に、状況に応じて効率良く顧客の待ち時間を低減することができる。
【図面の簡単な説明】
【００１８】
【図１】図１は、実施例１に係るＰＯＳレジスタ、硬貨釣銭機及び紙幣釣銭機を含むＰＯＳシステムで行われる商品の決済処理の概要を説明するためのフローチャートである。
【図２】図２は、実施例１に係るＰＯＳレジスタ、硬貨釣銭機及び紙幣釣銭機の外観の一例を示す図である。
【図３】図３は、実施例１に係るＰＯＳレジスタ、硬貨釣銭機及び紙幣釣銭機の装置内部の貨幣の取り扱いに係る構成を示す図である。
【図４】図４は、実施例１に係る硬貨釣銭機及び紙幣釣銭機の構成を示す機能ブロック図である。
【図５】図５は、実施例１に係る硬貨釣銭機の記憶部及び紙幣釣銭機の記憶部が記憶するデータを説明するための図である。
【図６】図６は、実施例１に係るＰＯＳレジスタの構成を示す機能ブロック図である。
【図７】図７は、実施例１に係るＰＯＳレジスタの記憶部が記憶するデータを説明するための図である。
【図８】図８は、実施例１に係る硬貨釣銭機の操作表示部に表示される決済処理時の画面を説明するための図である。
【図９】図９は、実施例１に係るＰＯＳレジスタにおける決済処理の処理手順を示すフローチャートである。
【図１０】図１０は、実施例１に係る硬貨釣銭機における決済処理の処理手順を示すフローチャート（その１）である。
【図１１】図１１は、実施例１に係る硬貨釣銭機における決済処理の処理手順を示すフローチャート（その２）である。
【図１２】図１２は、実施例２に係るＰＯＳレジスタの構成を示す機能ブロック図である。
【図１３】図１３は、実施例２に係るＰＯＳレジスタの表示部に表示される決済処理時の画面を説明するための図である。
【図１４】図１４は、実施例２に係るＰＯＳレジスタにおける決済処理の処理手順を示すフローチャートである。
【図１５】図１５は、図１４に示した入金金額チェック処理の詳細な処理手順を示すフローチャートである。
【発明を実施するための形態】
【００１９】
以下に、添付図面を参照して、本発明に係る貨幣処理システム、貨幣処理装置及び貨幣処理方法の好適な実施例を詳細に説明する。なお、以下に示す実施例では、本発明をコンビニエンスストアのＰＯＳシステムに適用した場合を示すこととする。
【実施例１】
【００２０】
まず、実施例１に係るＰＯＳシステムによる商品の決済処理の概要について説明する。図１は、実施例１に係るＰＯＳシステムによる商品の決済処理手順を示すフローチャートである。このＰＯＳシステムは、ＰＯＳレジスタ３００、硬貨釣銭機１００及び紙幣釣銭機２００を有する。
【００２１】
店員がＰＯＳレジスタ３００に設けられたバーコードリーダ３０８を商品に付されたバーコードに近づけると、ＰＯＳレジスタ３００は、この商品のバーコードデータを読み取り、このバーコードデータに含まれる商品コードを用いて販売商品の登録処理を行う（Ｓ１）。このようにして、各商品の登録処理が行われたならば、ＰＯＳレジスタ３００は、商品の合計金額を算出し、表示部３０２に表示する。
【００２２】
店員は、表示部３０２に表示された合計金額に対する代金を顧客に請求し、顧客から貨幣を受け取る（Ｓ２）。顧客から受け取った貨幣の金額が商品の合計金額と同額でない場合には（Ｓ３；Ｎｏ）、店員は、顧客から受け取った貨幣を硬貨釣銭機１００及び紙幣釣銭機２００に投入して、貨幣の計数及び装置内部への収納を行う（Ｓ４）。
【００２３】
ＰＯＳレジスタ３００は、硬貨釣銭機１００及び紙幣釣銭機２００から貨幣の計数結果を取得し、この計数結果から商品の合計金額を差し引いて釣銭金額を算出し、算出した釣銭金額に応じた釣銭を硬貨釣銭機１００及び紙幣釣銭機２００から払い出すよう制御する（Ｓ５）。また、ＰＯＳレジスタ３００は、レシートを発行して（Ｓ６）、一連の決済処理を終了する。このように、顧客に返却すべき釣銭金額に過不足が生ずる事態を防ぐために、顧客から受け取った貨幣を硬貨釣銭機１００及び紙幣釣銭機２００で計数させ、この計数結果から商品の合計金額を減算することによって釣銭金額を算出している。
【００２４】
ここで、本実施例１は、貨幣の受取金額と商品の合計金額が一致すると店員が一見して把握できる場合に、顧客の決済処理の待ち時間を低減する処理を行う点に特徴がある。具体的には、顧客からの貨幣の受取金額が商品の合計金額と同額であると一見して店員が把握できる場合には（Ｓ３；Ｙｅｓ）、店員は、ＰＯＳレジスタ３００又は硬貨釣銭機１００で釣銭がない旨を示す操作を行う（Ｓ７）。ただし、貨幣の受取金額と商品の合計金額とが一致する場合であっても、店員が顧客から受け取った貨幣の種類や貨幣数が多い場合には、両者の一致を直感的に判断することができないため、釣銭がない旨を示す所定の操作は行われない。
【００２５】
この所定の操作を受け付けたならば、ＰＯＳレジスタ３００は、貨幣の計数処理及び収納処理が実行されていない状態で、レシートを発行処理し（Ｓ８）、店員がレシートを顧客に手渡す。顧客の待ち時間を低減するためである。なお、このレシートには、貨幣が収納処理された場合と同様に、商品の合計金額、貨幣の受取金額、釣銭金額（この場合は「０円」）等が印字される。このように、店員が釣銭の生じない状況を一見して把握できる場合には、貨幣の計数処理及び収納処理を省いた分だけ顧客の待ち時間が短縮されることになる。また、釣銭がない旨を示す所定の操作が行われた場合には、貨幣の計数処理・収納処理（Ｓ９）が終了していなくても、レシート発行処理（Ｓ８）を行えるようにすることがポイントなので、レシート発行処理（Ｓ８）中に、貨幣の計数処理・収納処理（Ｓ９）を並行して行えるようにしてもよい。
【００２６】
また、店員は、顧客にレシートを手渡して顧客を解放した後に、顧客から受け取った貨幣を、硬貨釣銭機１００及び紙幣釣銭機２００に投入して、受け取った貨幣の計数及び装置内部への収納を行う（Ｓ９）。そして、このようにレシートの発行後に貨幣の計数及び収納が行われると、計数結果と商品の合計金額とが一致しているか否かのチェック処理が行われる（Ｓ１０）。かかるチェック処理において計数結果と商品の合計金額が不整合である場合には、その旨を示すエラーメッセージが表示されるとともに、不整合の内容を含むエラーログが出力される。かかるエラーメッセージの表示やエラーログの出力により、店員の誤操作及び不正を抑制することができる。
【００２７】
このように、実施例１では、販売する商品の合計金額を特定し、釣銭金額の入力を受け付けたならば、顧客から受け取った貨幣の計数処理及び収納処理に先立って、レシートを発行するようにした。そして、レシートを発行した後に、顧客から受け取った貨幣の計数処理及び収納処理を行い、計数処理結果と、商品の合計金額との整合性を判定するようにした。かかる構成により、ＰＯＳ端末に釣銭機が接続された貨幣処理システムを用いて決済処理を行う場合に、状況に応じて効率良く顧客の待ち時間を低減することができる。
【００２８】
なお、図１に示した処理手順では、顧客から受け取った貨幣が商品の合計金額と同額である場合に、釣銭がない旨の操作を受け付けて、貨幣の計数に先立ってレシートを発行するという例を説明したが、本発明はこれに限定されるものではない。例えば、９００円の商品を購入する顧客が千円札を出した場合には、店員は容易に釣銭金額を算出することが可能である。このような場合に釣銭が１００円であることを示す操作を受け付けたならば、貨幣の計数に先立って、釣銭として１００円を払い出すとともにレシートを発行するようにしてもよい。
【００２９】
次に、実施例１に係るＰＯＳレジスタ３００、硬貨釣銭機１００及び紙幣釣銭機２００の外観について説明する。図２は、ＰＯＳレジスタ３００、硬貨釣銭機１００及び紙幣釣銭機２００の外観の一例を示す図である。図２（ａ）は、ＰＯＳレジスタ３００の外観構成を示すための斜視図で、図２（ｂ）はＰＯＳレジスタ３００に接続される硬貨釣銭機１００及び紙幣釣銭機２００の外観を示す斜視図である。
【００３０】
図２（ａ）に示すＰＯＳレジスタ３００は、顧客に販売する商品の決済処理を行う装置である。また、ＰＯＳレジスタ３００は、図２（ｂ）に示す硬貨釣銭機１００及び紙幣釣銭機２００と接続され、決済処理に伴う顧客から受け取った貨幣の収納及び釣銭の払い出しを硬貨釣銭機１００及び紙幣釣銭機２００を制御して実施する。
【００３１】
図２（ａ）に示すように、ＰＯＳレジスタ３００は、表示部３０２と、追加表示部３０２ａと、操作部３０４と、レシート取出口３０６ａと、バーコードリーダ３０８と、スリット３１０ａとを有する。
【００３２】
表示部３０２は、液晶ディスプレイなどであって、決済対象の商品の一覧、商品の合計金額及び顧客から受け取った貨幣の計数結果等を表示する。追加表示部３０２ａは、小型の液晶ディスプレイであって、顧客向けに商品の合計金額等を表示する。操作部３０４は、キーボードであって、商品コードや商品の個数等の各種入力操作を受け付ける。レシート取出口３０６ａは、発行されたレシートが取り出し可能に排出される口である。バーコードリーダ３０８は、商品のバーコードを読み取る。スリット３１０ａは、ＰＯＳレジスタ３００を操作する店員のカードを挿入してスライドさせることによりカードに記憶される情報を読み取る。
【００３３】
図２（ｂ）に示すように、硬貨釣銭機１００及び紙幣釣銭機２００は併設され、併設された硬貨釣銭機１００及び紙幣釣銭機２００の上面にＰＯＳレジスタ３００を載置することができる。硬貨釣銭機１００は、硬貨の入出金処理を行う装置であり、紙幣釣銭機２００は、紙幣の入出金処理を行う装置である。
【００３４】
図２（ｂ）に示すように、硬貨釣銭機１００は、操作表示部１１２と、硬貨受入部１１４と、硬貨払出部１１６を有する。操作表示部１１２は、液晶ディスプレイと操作するためのボタンを含む。硬貨受入部１１４は、顧客から受け取った硬貨を投入するための口である。硬貨払出部１１６は、払い出される釣銭硬貨の取り出し口である。
【００３５】
また、図２（ｂ）に示すように、紙幣釣銭機２００は、紙幣受入口２１４ａと、紙幣取出口２１６ａと、出金リジェクト部２０４と、回収カセット２０７とを有している。紙幣受入口２１４ａは、顧客から受け取った紙幣を投入するための口である。紙幣取出口２１６ａは、払い出される釣銭紙幣の取り出し口である。紙幣受入口２１４ａから装置内部に取り込まれた紙幣のうち、汚損等により識別することができない紙幣は入金リジェクト紙幣として紙幣取出口２１６ａに返却される。
【００３６】
出金リジェクト部２０４は、払い出そうとした紙幣のうち、識別することができなかった紙幣が収納される収納部である。回収カセット２０７は、紙幣の回収指示により装置内部の紙幣が搬送され、収納される収納部である。また、回収カセット２０７は、紙幣釣銭機２００に対して着脱可能であり、装置内部の紙幣を回収する場合には、紙幣の回収指示により装置内部の紙幣を回収カセット２０７に搬送して、回収カセット２０７ごと取り外して回収することができる。
【００３７】
次に、実施例１に係るＰＯＳレジスタ３００、硬貨釣銭機１００及び紙幣釣銭機２００の装置内部の貨幣の取り扱いに係る構成について説明する。図３は、ＰＯＳレジスタ３００、硬貨釣銭機１００及び紙幣釣銭機２００の装置内部の貨幣の取り扱いに係る構成を示す図である。
【００３８】
図３に示すように、ＰＯＳレジスタ３００は、ＰＯＳレジスタ全体を制御する制御部３３０を有している。ＰＯＳレジスタ３００の制御部３３０は、硬貨釣銭機１００の制御部１３０と通信線によって接続されている。硬貨釣銭機１００の制御部１３０と紙幣釣銭機２００の制御部２３０も互いに通信線によって接続されている。ＰＯＳレジスタ３００は、硬貨釣銭機１００との通信線を通して、硬貨釣銭機１００からの情報及び硬貨釣銭機１００を経由して紙幣釣銭機２００からの情報を取得する。また、ＰＯＳレジスタ３００は、通信線を介して硬貨釣銭機１００に対して硬貨の計数、収納及び払い出しの指示を行う。また、ＰＯＳレジスタ３００は、硬貨釣銭機１００を介して紙幣釣銭機２００に対する紙幣の計数、収納及び払い出しの指示を行う。
【００３９】
図３に示すように、硬貨釣銭機１００は、硬貨受入部１１４、入金搬送部１０３、硬貨識別部１０１、分岐部１０４、硬貨払出部１１６、出金搬送部１０８及び硬貨収納部１０６を有する。硬貨受入部１１４は、受け入れた硬貨を１層１列状態で１枚ずつ装置内部に取り込むようになっている。硬貨受入部１１４には、当該硬貨受入部１１４により装置内部に取り込まれた硬貨を搬送する入金搬送部１０３が接続されている。
【００４０】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、汚損等により金種判定できないリジェクト硬貨を硬貨払出部１１６に返却するよう出金搬送部１０８に分岐して搬送する。
【００４１】
一方、正常硬貨等の装置内部に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、出金搬送部１０８は、分岐部１０４から分岐して搬送されたリジェクト硬貨を硬貨払出部１１６へ搬送する。
【００４２】
図３に示すように、紙幣釣銭機２００は、周回搬送部２０３ａ、接続搬送部２０３ｂ、紙幣受入部２１４、紙幣収納部２０６、紙幣払出部２１６、出金リジェクト部２０４、回収カセット２０７及び紙幣識別部２０１を有している。環状の周回搬送部２０３ａは、紙幣釣銭機２００筐体内の略中央に配置され、この周回搬送部２０３ａを取り囲むように紙幣受入部２１４、３つの紙幣収納部２０６、紙幣払出部２１６、出金リジェクト部２０４及び回収カセット２０７が配置されている。
【００４３】
また、紙幣受入部２１４、紙幣収納部２０６、紙幣払出部２１６、出金リジェクト部２０４及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽及び正損の識別を行う。また、周回搬送部２０３ａと接続搬送部２０３ｂとの間で紙幣の搬送経路を切り換える図示しない経路切換部が、周回搬送部２０３ａに沿って配置されている。
【００４４】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて搬送された紙幣を金種別に収納する。紙幣払出部２１６は、紙幣収納部２０６から周回搬送部２０３ａに繰り出された紙幣を紙幣取出口２１６ａより機外へ払い出す。
【００４５】
出金リジェクト部２０４は、紙幣収納部２０６から繰り出された紙幣のうち、斜行等により紙幣識別部２０１で識別することができなかった紙幣を出金リジェクト紙幣として収納する。また、紙幣受入部２１４から装置内部に取り込まれた紙幣のうち、汚損等により紙幣識別部２０１で識別することができない紙幣は入金リジェクト紙幣として紙幣払出部２１６に返却される。
【００４６】
次に、図２に示した実施例１に係る硬貨釣銭機１００及び紙幣釣銭機２００の構成を説明する。図４は、硬貨釣銭機１００及び紙幣釣銭機２００の構成を示す機能ブロック図である。
【００４７】
図４に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４及び制御部１３０を備えている。通信部１３２は、通信線を通してＰＯＳレジスタ３００及び紙幣釣銭機２００とのデータ通信を行うためのインタフェース部である。紙幣釣銭機２００はＰＯＳレジスタ３００と直接通信線で接続されていないが、硬貨釣銭機１００が仲介することによってＰＯＳレジスタ３００と通信することができるよう構成されている。また、ＰＯＳレジスタ３００、硬貨釣銭機１００及び紙幣釣銭機２００の接続形態は、これに限定されるものではない。例えば、ＰＯＳレジスタ３００と紙幣釣銭機２００とが直接接続され、硬貨釣銭機１００は紙幣釣銭機２００とだけ接続され、硬貨釣銭機１００とＰＯＳレジスタ３００とのデータ通信は紙幣釣銭機２００を介して行うようになっていてもよい。また、ＰＯＳレジスタ３００に、硬貨釣銭機１００及び紙幣釣銭機２００がそれぞれ直接接続されていてもよい。硬貨受入部１１４、入金搬送部１０３、硬貨識別部１０１、分岐部１０４、硬貨収納部１０６、出金搬送部１０８、硬貨払出部１１６及び操作表示部１１２については、図２又は図３で説明したのでここでの説明は省略する。
【００４８】
記憶部１３４は、ハードディスク装置や不揮発性メモリ等の記憶デバイスであり、硬貨在高データ１３４ａ、入出金履歴データ１３４ｂ及び入金チェックログデータ１３４ｃを記憶する。硬貨在高データ１３４ａは、硬貨釣銭機１００内に収納される硬貨の金種別の在高を示すデータである。入出金履歴データ１３４ｂは、硬貨釣銭機１００で行われた硬貨の受け払いの履歴を記録したデータである。入金チェックログデータ１３４ｃは、レシート発行後に顧客から受け取った貨幣の入金を行った場合に、入金額の整合性をチェックして、そのチェック結果を記録したログデータである。入金チェックログデータ１３４ｃは、顧客から受け取った貨幣の金額に加えて、顧客に販売した商品の合計金額及び顧客に払った釣銭金額などの情報を含む。
【００４９】
制御部１３０は、硬貨釣銭機１００の全体を制御する制御部であり、入出金処理部１３０ａ、補充回収処理部１３０ｂ及び入金チェック部１３０ｃを有する。実際には、これらの機能部に対応するプログラムを図示しない各種補助記憶装置（ＨＤＤやＳＳＤなど）に記憶しておき、これらのプログラムをメインメモリにロードし、ＣＰＵ（Central Processing Unit）により実行することで、入出金処理部１３０ａ、補充回収処理部１３０ｂ及び入金チェック部１３０ｃに対応するプロセスを実行させることになる。
【００５０】
入出金処理部１３０ａは、硬貨の入金処理及び出金処理全体を制御する処理部である。また、入出金処理部１３０ａは、硬貨の入出金が終了したならば、入出金履歴データ１３４ｂの更新を行うとともに、金種ごとの入出金の内容に応じて硬貨在高データ１３４ａの更新を行う。
【００５１】
通常の商品の決済処理では、入出金処理部１３０ａは、ＰＯＳレジスタ３００からの指示に基づいて入金処理を行った後に、ＰＯＳレジスタ３００からの指示に基づいて釣銭の出金処理を行う。ただし、入出金処理部１３０ａは、操作表示部１１２で釣銭がない旨の操作若しくは釣銭金額の指定操作を受け付けた場合には、貨幣の入金処理に先行してＰＯＳレジスタ３００のレシートの発行処理及び釣銭の出金処理を先行して行えるよう制御する。操作表示部１１２で釣銭がない旨の操作若しくは釣銭金額の指定操作を受け付けた場合の詳細な処理手順については後述する。
【００５２】
補充回収処理部１３０ｂは、硬貨受入部１１４で受け付けた硬貨の硬貨収納部１０６への補充処理の全体を制御する。また、補充回収処理部１３０ｂは、補充処理により硬貨収納部１０６に収納された硬貨の枚数に応じて硬貨在高データ１３４ａの更新を行う。また、補充回収処理部１３０ｂは、補充処理に係る処理履歴を入出金履歴データ１３４ｂに登録する。
【００５３】
補充回収処理部１３０ｂは、ＰＯＳレジスタ３００から回収の指示を受け付けた場合、若しくは操作表示部１１２の操作による回収の指示を受け付けた場合に、金種ごとに指定された枚数の硬貨（全回収の場合は、全ての硬貨）を硬貨収納部１０６から繰り出して、硬貨払出部１１６に搬送する。また、補充回収処理部１３０ｂは、硬貨払出部１１６に搬送した硬貨の枚数に応じて硬貨在高データ１３４ａの更新を行う。また、補充回収処理部１３０ｂは、回収処理に係る処理履歴を入出金履歴データ１３４ｂに登録する。
【００５４】
入出金処理部１３０ａ及び補充回収処理部１３０ｂは、硬貨在高データ１３４ａ及び入出金履歴データ１３４ｂの更新内容をＰＯＳレジスタ３００に通知する。
【００５５】
入金チェック部１３０ｃは、操作表示部１１２で釣銭がない旨の操作若しくは釣銭金額の指定操作を受け付けた場合に、後回しにされた入金処理における入金金額の整合性のチェックを行う。具体的には、ＰＯＳレジスタ３００から顧客に販売した商品の合計金額を取得し、取得した商品の合計金額及び顧客に払い出した釣銭の金額を加算した金額と、後回しにされた入金処理で入金された金額とが一致しているか否かを判定する。入金チェック部１３０ｃは、入金金額の整合性のチェック結果を入金チェックログデータ１３４ｃに記憶する。
【００５６】
図４に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、記憶部２３４及び制御部２３０を備えている。通信部２３２は、通信線を通して硬貨釣銭機１００とのデータ通信を行うためのインタフェース部である。紙幣受入部２１４、周回搬送部２０３ａ、接続搬送部２０３ｂ、紙幣識別部２０１、紙幣収納部２０６、出金リジェクト部２０４、紙幣払出部２１６及び回収カセット２０７については、図２又は図３で説明したのでここでの説明は省略する。
【００５７】
記憶部２３４は、ハードディスク装置や不揮発性メモリ等の記憶デバイスであり、紙幣在高データ２３４ａ及び入出金履歴データ２３４ｂを有する。紙幣在高データ２３４ａは、紙幣釣銭機２００内に収納される紙幣の金種別の在高を示すデータである。入出金履歴データ２３４ｂは、紙幣釣銭機２００で行われた紙幣の受け払いの履歴を記録したデータである。
【００５８】
制御部２３０は、紙幣釣銭機２００の全体を制御する制御部であり、入出金処理部２３０ａ及び補充回収処理部２３０ｂを有する。実際には、これらの機能部に対応するプログラムを図示しない記憶装置（ＨＤＤやＳＳＤなど）に記憶しておき、これらのプログラムをメインメモリにロードし、ＣＰＵにより実行することで、対応するプロセスを実行させることになる。
【００５９】
入出金処理部２３０ａは、紙幣の入金処理及び出金処理全体を制御する処理部である。また、入出金処理部２３０ａは、紙幣の入出金が終了したならば、入出金履歴データ２３４ｂの更新を行うとともに、金種ごとの入出金の内容に基づいて紙幣在高データ２３４ａの更新を行う。
【００６０】
補充回収処理部２３０ｂは、紙幣受入部２１４で受け付けた紙幣の紙幣収納部２０６への補充処理の全体を制御する。補充回収処理部２３０ｂは、補充処理により紙幣収納部２０６に収納された紙幣の枚数に応じて紙幣在高データ２３４ａの更新を行う。また、補充回収処理部２３０ｂは、補充処理に係る処理履歴を入出金履歴データ２３４ｂに登録する。
【００６１】
補充回収処理部２３０ｂは、硬貨釣銭機１００を経由してＰＯＳレジスタ３００から回収の指示を受け付けた場合、若しくは硬貨釣銭機１００の操作表示部１１２の操作による回収の指示を受け付けた場合に、金種ごとに指定された枚数の紙幣を紙幣収納部２０６から繰り出して、回収カセット２０７に搬送する。また、補充回収処理部２３０ｂは、回収カセット２０７に搬送された紙幣の枚数に応じて紙幣在高データ２３４ａの更新を行う。また、補充回収処理部２３０ｂは、回収処理に係る処理履歴を入出金履歴データ２３４ｂに登録する。
【００６２】
入出金処理部２３０ａ及び補充回収処理部２３０ｂは、紙幣在高データ２３４ａ及び入出金履歴データ２３４ｂの更新内容を、硬貨釣銭機１００を経由してＰＯＳレジスタ３００に通知する。
【００６３】
次に、実施例１に係る硬貨釣銭機１００の記憶部１３４及び紙幣釣銭機２００の記憶部２３４が記憶するデータの具体例について説明する。図５は、硬貨釣銭機１００の記憶部１３４及び紙幣釣銭機２００の記憶部２３４が記憶するデータを説明するための図である。
【００６４】
図５（ａ）に示すように、硬貨在高データ１３４ａは、硬貨釣銭機１００の硬貨金種別の機内在高を記憶する。図５（ａ）に示す硬貨在高データ１３４ａは、硬貨金種別の機内在高が、５００円貨が「１０」枚で、１００円貨が「２０」枚で、５０円貨が「２０」枚で、１０円貨が「１１０」枚で、５円貨が「５０」枚で、１円貨が「４０」枚であることを示す。
【００６５】
図５（ｂ）に示すように、入出金履歴データ１３４ｂは、処理が行われた日時、処理区分、受け取った金種別の硬貨の枚数である金種別受取枚数及び払い出した金種別の硬貨の枚数である金種別払出枚数等の項目からなるデータである。処理区分はコード化された情報であって、行われた処理内容を示す情報であり、「１」は代金決済で、「２」は両替で、「３」は補充で、「６」は装置内部の貨幣の数量を検査する精査で、「７」は全回収であることを示す。
【００６６】
図５（ｂ）に示す入出金履歴データ１３４ｂは、日時が「２０１４／４／１０  １８：３０」に、処理区分「１」が示す代金決済処理が行われ、硬貨は受け取っていなくて、１００円貨「２」枚を払い出したことを示す。
【００６７】
図５（ｃ）に示すように、入金チェックログデータ１３４ｃは、入金金額チェック処理が行われた日時、チェック結果、当該チェックの行われたレジのレジ番号、レシート番号、レジを担当していた店員の店員コード、釣銭指定、商品合計金額及び入金金額等の項目からなるデータである。釣銭指定は、釣銭として指定された貨幣の金種毎の枚数情報である。図５（ｃ）に示した入金チェックログデータ１３４ｃの形式は一例であって、例えば、店員が商品の決済処理を行う静止画又は動画を撮像するようにして、撮像した静止画又は動画を入金チェックログデータ１３４ｃに含めて記録するようにしてもよい。
【００６８】
図５（ｃ）に示す入金チェックログデータ１３４ｃは、入金金額チェック処理が行われた日時が「２０１４／４／１０  １８：００」で、チェック結果が「正常」で、当該チェックの行われたレジのレジ番号が「１０１」で、対応するレシート番号が「０２６０」で、レジを担当していた店員の店員コードが「１００１０」で、釣銭指定が全金種「０」枚であり釣銭がないことが指定され、商品合計金額が「１０５０」円で、入金金額が「１０５０」円であることを示す。
【００６９】
図５（ｄ）に示すように、紙幣在高データ２３４ａは、紙幣釣銭機２００の紙幣金種別の機内在高の情報を記憶する。図５（ｄ）に示す紙幣在高データ２３４ａは、装置内部に五千円券が「２０」枚、千円券が「１２０」枚あることを示す。
【００７０】
図５（ｅ）に示すように、入出金履歴データ２３４ｂは、入出金処理が行われた日時、処理区分、受け取った紙幣の金種別の枚数を示す金種別受取枚数及び払い出した紙幣の金種別の枚数を示す金種別払出枚数等の項目からなるデータである。処理区分はコード化されたデータであって、コードの意味は先に説明した入出金履歴データ１３４ｂの処理区分と同じである。図５の入出金履歴データ２３４ｂの例は、日時が「２０１４／４／１０  １８：３０」に処理区分「１」が示す代金決済処理が行われ、万円券「１」枚を受け取り、五千円券「１」枚を払い出したことを示す。
【００７１】
次に、実施例１に係るＰＯＳレジスタ３００の構成を説明する。図６は、ＰＯＳレジスタ３００の構成を示す機能ブロック図である。図６に示すように、ＰＯＳレジスタ３００は、表示部３０２、操作部３０４、プリンタ３０６、バーコードリーダ３０８、カードリーダ３１０、通信部３３２、記憶部３３４及び制御部３３０を備えている。
【００７２】
表示部３０２は、液晶ディスプレイ等の表示装置である。操作部３０４は、キーボードなど入力装置である。プリンタ３０６は、商品の決済処理の内容を記載したレシートを発行する印刷部である。バーコードリーダ３０８は、商品のバーコードを読み取る。カードリーダ３１０は、スリット３１０ａに挿入されてスライドされたカードに記憶された情報を読み取る。通信部３３２は、硬貨釣銭機１００とのデータ通信を行うためのインタフェース部である。
【００７３】
記憶部３３４は、ハードディスク装置や不揮発性メモリ等の記憶デバイスであり、在高データ３３４ａ及び取引履歴データ３３４ｂを記憶する。在高データ３３４ａは、接続される硬貨釣銭機１００及び紙幣釣銭機２００から通知される硬貨在高データ１３４ａ及び紙幣在高データ２３４ａを記憶したデータである。取引履歴データ３３４ｂは、ＰＯＳレジスタ３００で行われた商品の決済処理の履歴情報が記録されたデータである。また、取引履歴データ３３４ｂには、釣銭の補充処理及び回収処理などの履歴情報も記録される。
【００７４】
制御部３３０は、ＰＯＳレジスタ３００の全体を制御する制御部であり、商品決済処理部３３０ａ及び補充回収処理部３３０ｂを有する。実際には、商品決済処理部３３０ａ及び補充回収処理部３３０ｂに対応するプログラムを図示しない記憶装置（ＨＤＤやＳＳＤなど）に記憶しておき、これらのプログラムをメインメモリにロードし、ＣＰＵにより実行することで、対応するプロセスを実行させることになる。
【００７５】
商品決済処理部３３０ａは、バーコードリーダ３０８及び操作部３０４により決済対象の商品の種類及び数量の入力を受け付けて、決済対象の商品の合計金額を算出する。また、商品決済処理部３３０ａは、硬貨釣銭機１００及び紙幣釣銭機２００から投入された貨幣の計数結果を受け付けて、算出した商品の合計金額と受け付けた計数結果に基づいて釣銭金額を算出する。そして、商品決済処理部３３０ａは、算出された釣銭金額に応じた釣銭を払い出すよう硬貨釣銭機１００及び紙幣釣銭機２００に指示する。また、商品決済処理部３３０ａは、商品決済に係る商品の情報、受け取った貨幣の情報、払い出した釣銭の情報などを商品決済の履歴として取引履歴データ３３４ｂに登録する。
【００７６】
補充回収処理部３３０ｂは、補充に係る指示操作を受け付けて、釣銭準備金の補充処理を行う。具体的には、補充回収処理部３３０ｂは、硬貨釣銭機１００に対して硬貨を釣銭準備金として補充する旨を示す補充指示を送信し、紙幣釣銭機２００に対して紙幣を釣銭準備金として補充する旨を示す補充指示を送信する。補充回収処理部３３０ｂは、硬貨釣銭機１００及び紙幣釣銭機２００に送信した補充指示に対する処理結果を受け付けて、受け付けた補充処理の処理結果を補充処理の履歴として取引履歴データ３３４ｂに登録する。
【００７７】
補充回収処理部３３０ｂは、回収に係る指示操作を受け付けて、貨幣の回収処理を行う。具体的には、補充回収処理部３３０ｂは、硬貨釣銭機１００に対して硬貨を回収する旨を示す回収指示を送信し、紙幣釣銭機２００に対して紙幣を回収する旨を示す回収指示を送信する。補充回収処理部３３０ｂは、硬貨釣銭機１００及び紙幣釣銭機２００に送信した回収指示に対する処理結果を受け付けて、受け付けた回収処理の処理結果を回収処理の履歴として取引履歴データ３３４ｂに登録する。
【００７８】
次に、実施例１に係るＰＯＳレジスタ３００の記憶部３３４が記憶するデータの具体例について説明する。図７は、ＰＯＳレジスタ３００の記憶部３３４が記憶するデータを説明するための図である。
【００７９】
図７（ａ）に示すように、在高データ３３４ａは、硬貨釣銭機１００及び紙幣釣銭機２００から通知された硬貨在高データ１３４ａ及び紙幣在高データ２３４ａを記憶したデータであり、紙幣釣銭機２００から受け付けた紙幣在高データ２３４ａに対応する紙幣の金種別の枚数の情報と、硬貨釣銭機１００から受け付けた硬貨在高データ１３４ａに対応する硬貨の金種別の枚数の情報とを記憶する。
【００８０】
図７（ａ）に示す在高データ３３４ａは、紙幣釣銭機２００の在高は五千円券が「２０」枚で、千円券が「１２０」枚で、硬貨釣銭機１００の在高は５００円貨が「１０」枚で、１００円貨が「２０」枚で、５０円貨が「２０」枚で、１０円貨が「１１０」枚で、５円貨が「５０」枚で、１円貨が「４０」枚であることを示している。
【００８１】
図７（ｂ）に示すように、取引履歴データ３３４ｂは、１又は複数のレコードで構成されるデータであって、各レコードは処理が行われた日時、レジ番号、店員コード、処理区分、当該処理で発行されたレシートを識別するレシート番号、当該処理の取引額、受け取った金種別の貨幣の枚数、払い出した金種別の貨幣の枚数及び処理区分が「１」の代金決済の場合の購入した商品に係る情報等の項目で構成される。処理区分はコード化されたデータであってコードの意味は先に説明した入出金履歴データ１３４ｂの処理区分と同じである。
【００８２】
図７に示す取引履歴データ３３４ｂは、日時が「２０１４／４／１０  １８：３０」に、レジ番号が「１０１」のレジにおいて、店員コードが「１００１０」の店員により、処理区分「１」の示す代金決済処理が行われ、レシート番号が「０２９５」のレシートが発行され、取引額が「４，８００」円で、万円券「１」枚を受け取って、五千円券「１」枚と、１００円貨「２」枚を払い出したことを示す。
【００８３】
次に、実施例１に係る硬貨釣銭機１００の操作表示部１１２に表示される決済処理時の画面の具体例について説明する。図８は、硬貨釣銭機１００の操作表示部１１２に表示される決済処理時の画面を説明するための図である。図８に示すように、操作表示部１１２は液晶ディスプレイ等の表示を行う表示部１１２ａ及び押下操作を受け付ける操作部１１２ｂを有する。また、表示部１１２ａには、出金リジェクト部状態表示１１２ｃ、回収カセット状態表示１１２ｄ、貨幣収納部状態表示１１２ｅ、計数金額表示１１２ｆ及びファンクション表示１１２ｇが表示される。
【００８４】
出金リジェクト部状態表示１１２ｃには、出金リジェクト部２０４に紙幣が有るか否か、紙幣が有る場合にはフルの状態であるか否かが識別可能に表示される。回収カセット状態表示１１２ｄには、回収カセット２０７に紙幣が有るか否か、紙幣が有る場合にはフルの状態であるか否かが識別可能に表示される。貨幣収納部状態表示１１２ｅには、硬貨釣銭機１００の硬貨収納部１０６及び紙幣釣銭機２００の紙幣収納部２０６に貨幣が有るか否か、貨幣の有る場合にはフルの状態であるか否かを識別可能に金種別に表示される。計数金額表示１１２ｆには、硬貨釣銭機１００及び紙幣釣銭機２００で貨幣が計数された場合に、計数された合計金額が表示される。
【００８５】
ファンクション表示１１２ｇには、処理中の状態に応じて操作部１１２ｂの各ボタンに対応するファンクションが表示される。図８に示すファンクション表示１１２ｇは、商品の合計金額と同額の貨幣を受け付けた場合に操作する、釣銭が無いことを示す「丁度」ボタンと、釣銭が硬貨１枚である場合に操作する、硬貨の種類に対応する「五百円」ボタン、「百円」ボタン、「五十円」ボタン及び「十円」ボタンと、表示されているファンクション表示１１２ｇを切り替えるための「次」ボタンとが表示されている場合の例を示している。
【００８６】
商品の合計金額と同額の貨幣を受け取った場合に、レジを担当する店員により「丁度」に対応する操作部１１２ｂの操作が行われると、顧客から受け付けた貨幣の計数処理に先立ってレシートの発行が行われるように制御される。また、顧客から受け取った貨幣と、商品の合計金額との差額が硬貨１枚の場合に、レジを担当する店員により払い出す釣銭硬貨に対応する操作部１１２ｂの操作が行われると、顧客から受け付けた貨幣の計数処理に先立ってレシートの発行及び釣銭の払い出しが行われるように制御される。図８では、釣銭が硬貨１枚の場合に、釣銭として払い出す硬貨の金種を指定するためのボタンが配置された画面例を説明したが、本発明はこれに限定されるものではない。例えば、五千円券、二千円券及び千円券に対応するボタンを配置して、釣銭が対応する金種の紙幣１枚であることを指示できるようになっていてもよい。
【００８７】
次に、実施例１に係るＰＯＳレジスタ３００における決済処理の処理手順について説明する。図９は、ＰＯＳレジスタ３００における決済処理の処理手順を示すフローチャートである。
【００８８】
商品決済処理部３３０ａは、顧客が購入しようとする商品のバーコードをバーコードリーダ３０８で読み取ることにより商品の販売登録を行う（ステップＳ１０１）。具体的には、商品決済処理部３３０ａは、商品のバーコードを読み取り、読み取ったバーコードから商品の識別を行い、商品の識別結果に基づいて商品名及び商品価格等を特定する。また、商品決済処理部３３０ａは、顧客が購入しようとする全ての商品のバーコードを読み取ることによって、全ての商品に対する合計金額を算出する。
【００８９】
顧客が購入しようとする全ての商品の販売登録が終了したならば、商品決済処理部３３０ａは、算出された商品の合計金額などの情報を含む決算画面を表示部３０２に表示するとともに（ステップＳ１０２）、硬貨釣銭機１００及び紙幣釣銭機２００に顧客から受け取った貨幣を入金する旨の指示である入金指示を送信する（ステップＳ１０３）。この入金指示を受信した硬貨釣銭機１００は、硬貨受入部１１４に硬貨が投入されると、投入された硬貨の金種判定及び真偽判定を行い、真正と判定された硬貨を金種別の硬貨収納部１０６に収納して、収納した硬貨金額を入金結果としてＰＯＳレジスタ３００に送信する。また、入金指示を受信した紙幣釣銭機２００は、紙幣受入部２１４に紙幣が投入されると、投入された紙幣の金種判定及び真偽判定を行い、真正と判定された紙幣を金種別の紙幣収納部２０６に収納して、収納した紙幣金額を入金結果としてＰＯＳレジスタ３００に送信する。
【００９０】
硬貨釣銭機１００又は紙幣釣銭機２００から入金した貨幣の入金結果を受信したならば（ステップＳ１０４；Ｙｅｓ）、商品決済処理部３３０ａは、表示部３０２に表示される決済画面の入金合計金額の表示を更新して（ステップＳ１０５）、ステップＳ１０４に戻る。
【００９１】
決済画面に商品の合計金額以上の入金合計金額が表示されている状態で、入金処理が終了した旨の操作を受け付けた場合には（ステップＳ１０４；Ｎｏ、ステップＳ１０６；Ｙｅｓ）、商品決済処理部３３０ａは、硬貨釣銭機１００及び紙幣釣銭機２００に入金処理を終了する旨の指示である入金終了指示を送信する（ステップＳ１０７）。また、商品決済処理部３３０ａは、入金合計金額から商品の合計金額を減算することにより釣銭金額を算出し（ステップＳ１０８）、算出した釣銭金額を含む釣銭払出要求を硬貨釣銭機１００及び紙幣釣銭機２００に送信する（ステップＳ１０９）。
【００９２】
硬貨釣銭機１００及び紙幣釣銭機２００において、釣銭払出要求に応じて釣銭の払い出しが行われると、商品決済処理部３３０ａは、硬貨釣銭機１００及び紙幣釣銭機２００からの通知に基づいて在高データ３３４ａを更新するとともに、取引履歴データ３３４ｂに決済処理の履歴情報を登録して更新する（ステップＳ１１０）。また、商品決済処理部３３０ａは、当該決済処理の内容を記載したレシートをプリンタ３０６で発行して（ステップＳ１１１）、処理を終了する。
【００９３】
図８に示した操作表示部１１２において、「丁度」ボタンや「５００円」ボタン等が操作されたことを示す商品の合計金額取得要求を硬貨釣銭機１００から受信したならば（ステップＳ１０６；Ｎｏ、ステップＳ１１２；Ｙｅｓ）、商品決済処理部３３０ａは、ステップＳ１０１で算出した商品の合計金額を含む情報を硬貨釣銭機１００に送信する（ステップＳ１１３）。この硬貨釣銭機１００に送信する情報には、商品の合計金額に加えてレジ番号、レシート番号及び店員コードなどの情報も含まれる。また、商品決済処理部３３０ａは、商品の合計金額を送信することによって硬貨釣銭機１００から送られてくる予定の入金結果の受信を待ち合わせ、予定の入金結果を受け付けて、表示部３０２に表示される決済画面の入金合計金額の表示を更新して（ステップＳ１１４）、ステップＳ１０７に移行する。
【００９４】
合計金額取得要求を硬貨釣銭機１００から受信していない場合には（ステップＳ１１２；Ｎｏ）、ステップＳ１０４に戻る。
【００９５】
次に、実施例１に係る硬貨釣銭機１００における決済処理の処理手順について説明する。図１０及び図１１は、硬貨釣銭機１００における決済処理の処理手順を示すフローチャートである。
【００９６】
ＰＯＳレジスタ３００から、顧客から受け取った貨幣を入金する旨の入金指示を受信したならば（ステップＳ２０１；Ｙｅｓ）、入出金処理部１３０ａは、入金処理を開始する（ステップＳ２０２）。具体的には、入出金処理部１３０ａは、硬貨受入部１１４に対する硬貨の投入の監視を開始するとともに、紙幣釣銭機２００に入金指示を送信する。
【００９７】
硬貨受入部１１４に対する硬貨の投入が検知されたならば（ステップＳ２０３；Ｙｅｓ）、入出金処理部１３０ａは、投入された硬貨の金種判定及び真偽判定を行い（ステップＳ２０４）、真正と判定された硬貨を計数して、金種別の硬貨収納部１０６に収納する（ステップＳ２０５）。また、入出金処理部１３０ａは、硬貨収納部１０６に収納した金種別の枚数の情報を含む入金結果をＰＯＳレジスタ３００に送信して（ステップＳ２０６）、ステップＳ２０３に戻る。
【００９８】
図８に示した操作表示部１１２において「丁度」ボタンや「５００円」ボタン等の釣銭金額を指定する操作を受け付けた場合に（ステップＳ２０３；Ｎｏ、ステップＳ２０７；Ｙｅｓ）、入出金処理部１３０ａは、ＰＯＳレジスタ３００に商品の合計金額取得要求を送信して、その応答をＰＯＳレジスタ３００から受信することにより商品の合計金額を取得する（ステップＳ２０８）。また、入出金処理部１３０ａは、入金チェックログデータ１３４ｃにレコードを追加して、そのレコードにチェック結果及び入金金額以外の情報を操作表示部１１２における入力及び合計金額取得要求の応答に基づいて登録する（ステップＳ２０９）。また、入出金処理部１３０ａは、釣銭金額と商品の合計金額とを合計した金額を、予定の入金結果としてＰＯＳレジスタ３００に送信して（ステップＳ２１０）、ステップＳ２０３に戻る。
【００９９】
紙幣釣銭機２００から、紙幣の入金結果を受信した場合には（ステップＳ２０７；Ｎｏ、ステップＳ２１１；Ｙｅｓ）、入出金処理部１３０ａは、受信した紙幣の入金結果をＰＯＳレジスタ３００に送信して（ステップＳ２１２）、ステップＳ２０３に戻る。
【０１００】
ＰＯＳレジスタ３００から入金処理を終了する旨の指示である入金終了指示を受信したならば（ステップＳ２１１；Ｎｏ、ステップＳ２１３；Ｙｅｓ）、入出金処理部１３０ａは、入金処理を終了する（ステップＳ２１４）。具体的には、入出金処理部１３０ａは、硬貨受入部１１４に対する硬貨の投入の監視を終了するとともに、紙幣釣銭機２００に入金終了指示を送信する。
【０１０１】
ＰＯＳレジスタ３００から釣銭の払い出しの指示である釣銭払出要求を受信した場合には（ステップＳ２１５；Ｙｅｓ）、入出金処理部１３０ａは、受信した釣銭払出要求に基づいて釣銭の払い出しを行う（ステップＳ２１６）。具体的には、入出金処理部１３０ａは、釣銭払出要求に含まれる金種別の払出指示のうち硬貨の払出指示分の硬貨の払い出しを行うとともに、紙幣に係る払出指示を紙幣釣銭機２００に送信する。ＰＯＳレジスタ３００から釣銭払出要求を受信していない場合には（ステップＳ２１５；Ｎｏ）、ステップ２１６の処理をスキップしてステップＳ２１７に移行する。
【０１０２】
ステップＳ２０９で入金チェックログデータ１３４ｃにレコードが追加され、そのレコードに対する入金金額チェック処理が行われていない場合には（ステップＳ２１７；Ｙｅｓ）、入金チェック部１３０ｃは、貨幣の入金処理を行う（ステップＳ２１８）。具体的には、入金チェック部１３０ｃは、硬貨受入部１１４に投入された硬貨の金種判定及び真偽判定を行い、真正と判定された硬貨を計数して、金種別の硬貨収納部１０６に収納する。そして、入金チェック部１３０ｃは、計数結果に基づいて入金チェックログデータ１３４ｃに追加されたレコードの入金金額を更新する。また、入金チェック部１３０ｃは、紙幣釣銭機２００に入金指示を送信し、紙幣釣銭機２００から入金結果を取得したならば入金チェックログデータ１３４ｃに追加されたレコードの入金金額を更新する。ステップＳ２０９で入金チェックログデータ１３４ｃにレコードが追加されていない場合には（ステップＳ２１７；Ｎｏ）、処理を終了する。
【０１０３】
入金処理が終了したならば、入金チェック部１３０ｃは、入金チェックログデータ１３４ｃの追加レコードの釣銭指定と、商品合計金額と、入金金額との整合性をチェックして（ステップＳ２１９）、整合性のチェック結果を入金チェックログデータ１３４ｃの追加されたレコードに登録する（ステップＳ２２０）。
【０１０４】
ステップＳ２１９の、釣銭指定と、商品合計金額と、入金金額との整合性のチェック処理の結果が正常であった場合には（ステップＳ２２１；Ｙｅｓ）、処理を終了する。ステップＳ２１９で行われた整合性のチェック処理の結果が正常でなかった場合には（ステップＳ２２１；Ｎｏ）、不整合である旨のメッセージを表示して（ステップＳ２２２）、処理を終了する。
【０１０５】
上述してきたように、実施例１では、販売する商品の合計金額を特定し、釣銭金額の入力を受け付けたならば、顧客から受け取った貨幣の計数処理及び収納処理に先立って、受け付けた釣銭金額に応じた釣銭を払い出し、レシートを発行するようにした。そして、レシートを発行した後に、顧客から受け取った貨幣の計数処理及び収納処理を行い、計数処理結果と、商品の合計金額と、釣銭金額との整合性を判定するようにした。かかる構成により、ＰＯＳ端末に釣銭機が接続された貨幣処理システムを用いて決済処理を行う場合に、状況に応じて効率良く顧客の待ち時間を低減することができる。
【実施例２】
【０１０６】
実施例１では、硬貨釣銭機１００の操作表示部１１２で、釣銭金額の入力を受け付け可能として、釣銭金額の入力を受け付けたならば、顧客から受け取った貨幣の計数処理に先立って釣銭の払い出しやレシートの発行を行うように硬貨釣銭機１００が主導的に制御する例を説明してきた。しかしながら、本発明はこれに限定されるものではない。そこで、実施例２では、ＰＯＳレジスタ１３００の操作部３０４で、釣銭金額の入力を受け付け可能として、釣銭金額の入力を受け付けたならば、顧客から受け取った貨幣の計数処理に先立って釣銭の払い出しやレシートの発行を行うようにＰＯＳレジスタ１３００が主導的に制御する例を説明する。
【０１０７】
まず、実施例２に係るＰＯＳレジスタ１３００の構成について説明する。図１２は、ＰＯＳレジスタ１３００の構成を示す機能ブロック図である。図１２に示すＰＯＳレジスタ１３００のブロック図においては、実施例１のＰＯＳレジスタ３００と同じ構成要素についてはＰＯＳレジスタ３００と同じ符号を付与し、異なる構成要素については新たに採番した符号を付与した。ＰＯＳレジスタ１３００の内部構成の説明では、実施例１のＰＯＳレジスタ３００と同じ符号を付与した構成要素についての説明は省略し、符号を新たに採番した構成要素について主に説明するものとする。
【０１０８】
ＰＯＳレジスタ１３００は、実施例１のＰＯＳレジスタ３００と比較すると、記憶部３３４においては入金チェックログデータ１３３４ｃが追加となっている。この入金チェックログデータ１３３４ｃは、実施例１の硬貨釣銭機１００の記憶部１３４に記憶されていた入金チェックログデータ１３４ｃと同じ形式のデータである。実施例１では、硬貨釣銭機１００が入金チェックログデータ１３４ｃを記憶していたが、実施例２では、ＰＯＳレジスタ１３００の記憶部３３４に入金チェックログデータ１３３４ｃとして記憶されることになる。入金チェックログデータ１３３４ｃは、実施例１の入金チェックログデータ１３４ｃと同じ形式のデータであることから、データ構成の説明は省略する。
【０１０９】
また、ＰＯＳレジスタ１３００は、実施例１のＰＯＳレジスタ３００と比較すると、制御部３３０においては、商品決済処理部１３３０ａの処理内容が実施例１の商品決済処理部３３０ａと差異がある。また、実施例２において制御部３３０に入金チェック部１３３０ｃが追加となっている。
【０１１０】
商品決済処理部１３３０ａと、実施例１の商品決済処理部３３０ａとの差異について説明する。商品決済処理部１３３０ａは、商品の販売登録終了後に、商品の合計金額などの情報を含む決済画面を表示するが、この決済画面の表示内容が実施例１と差異がある。実施例２の決済画面には、釣銭額を指定するためのボタンが追加して表示される。釣銭額を指定するためのボタンは、実施例１では硬貨釣銭機１００の操作表示部１１２に表示された「丁度」ボタンや、釣銭金額に対応する「５百円」ボタン等に対応するものである。これらの釣銭額を指定可能なボタンが操作されると、商品決済処理部１３３０ａは、顧客から受け取った貨幣の計数処理及び収納処理に先立って、釣銭の払い出し処理及びレシートの発行処理を行うよう制御する。決済画面において釣銭がない旨の操作若しくは釣銭金額の指定操作を受け付けた場合の詳細な処理手順については後述する。
【０１１１】
入金チェック部１３３０ｃは、決済画面において釣銭がない旨の操作若しくは釣銭金額の指定操作を受け付けた場合に、後回しにされた入金処理における入金金額の整合性のチェックを行う。具体的には、顧客に販売した商品の合計金額及び顧客に払い出した釣銭金額を加算した金額と、後回しにされた入金処理で入金された金額とが一致しているか否かをチェックする。入金チェック部１３３０ｃは、入金金額の整合性のチェック結果を入金チェックログデータ１３３４ｃに記憶する。
【０１１２】
また、ＰＯＳレジスタ１３００に接続される硬貨釣銭機１１００は、実施例１の硬貨釣銭機１００とは差異がある。ただし、硬貨釣銭機１１００と実施例１の硬貨釣銭機１００との差異は、操作表示部１１２で釣銭がない旨の入力又は釣銭金額の入力が行えないようになっていることと、これらが入力された場合に関連して動作する入金チェック部１３０ｃがなくなっているだけなので、硬貨釣銭機１１００の詳細な構成の説明は省略する。
【０１１３】
次に、実施例２に係るＰＯＳレジスタ１３００の表示部３０２に表示される決済処理時の画面の具体例について説明する。図１３は、ＰＯＳレジスタ１３００の表示部３０２に表示される決済処理時の画面を説明するための図である。
【０１１４】
図１３（ａ）に示す画面は、決済対象の商品の登録処理後に表示される決済画面の例である。決済画面には、決済対象の商品の登録処理により算出された商品の合計金額が表示される。また、硬貨釣銭機１００及び紙幣釣銭機２００で、顧客から受け取った貨幣の計数処理及び収納処理が行われたならば、硬貨釣銭機１００及び紙幣釣銭機２００から受信した計数結果に基づいて入金合計金額が表示される。また、この入金合計金額から商品合計金額を減算して求められる釣銭金額も併せて表示される。
【０１１５】
また、図１３（ａ）に示すように、決済画面の最下部には、「釣銭ゼロ」ボタン、「釣銭５００円」ボタン及び「釣銭払出」ボタンが配置される。「釣銭ゼロ」ボタンは、釣銭が無いことを指示するためのボタンで、当該「釣銭ゼロ」ボタンが押下されると、顧客から受け取った貨幣の金額が商品の合計金額と同額であることを前提として、顧客から受け取った貨幣の計数処理及び収納処理に先立って、レシートの発行処理が行われるよう制御される。また、「釣銭５００円」ボタンは、釣銭が５００円である旨を指示するためのボタンで、当該「釣銭５００円」ボタンが押下されると、顧客から受け取った貨幣の金額が商品の合計金額に５００円を加算した金額であることを前提として、顧客から受け取った貨幣の計数処理及び収納処理に先立って、釣銭５００円の払い出し処理及びレシートの発行処理が行われるよう制御される。
【０１１６】
「釣銭払出」ボタンは、顧客から受け取った貨幣の計数処理及び収納処理が行われて、決済画面に入金合計額及び釣銭金額が表示されている状態で操作されると、決済画面に表示されている内容に基づいて釣銭の払い出し処理及びレシートの発行処理が行われる。また、入金合計金額が商品の合計金額未満の場合には、「釣銭払出」ボタンは操作できないように制御される。
【０１１７】
図１３（ｂ）に示す画面は、図１３（ａ）に示す画面で「釣銭ゼロ」ボタンが操作された場合に、後回しにされた顧客から受け取った貨幣の計数処理及び収納処理を行う場合に表示される入金金額確認画面の例である。図１３（ｂ）に示すように、後回しにされた貨幣の予定入金金額と、硬貨釣銭機１００及び紙幣釣銭機２００で実際に入金された金額と、予定入金金額と実際の入金金額との差額とが表示される。
【０１１８】
また、図１３（ｂ）に示すように、決済画面の最下部には、「完了」ボタンが配置される。この「完了」ボタンが操作されると、予定入金金額と実際の入金金額との差額がゼロであるか否かをチェックし、差額がゼロでない場合にはエラーのメッセージを表示するとともに、入金チェックログデータ１３３４ｃに不整合である旨のログを記録する。
【０１１９】
次に、実施例２に係るＰＯＳレジスタ１３００における決済処理の処理手順について説明する。図１４は、ＰＯＳレジスタ１３００における決済処理の処理手順を示すフローチャートである。実施例１のＰＯＳレジスタ３００における決済処理の処理手順と、実施例２のＰＯＳレジスタ１３００における決済処理の処理手順とは共通の部分が多い。このため、図１４に示すフローチャートでは、図９に示した実施例１のフローチャートに示した処理と同じ処理には同じステップ番号を付与し、図９に示した実施例１のフローチャートに示した処理と異なる処理には新たなステップ番号を付与した。図１４に示すフローチャートの説明では、図９に示した実施例１のフローチャートに示す処理と同じ処理についての説明は省略し、新たなステップ番号を付与した処理について主に説明する。
【０１２０】
ステップＳ１０１からステップＳ１１１までの処理手順については実施例１と同じである。実施例２では、レシート発行処理（ステップＳ１１１）に引き続いて、図１３（ａ）に示した決済画面で釣銭金額を指定する操作が行われた場合の入金金額のチェック処理が追加して行われ（ステップＳ３０１）、一連の商品の決済処理を終了する。この入金金額のチェック処理（ステップＳ３０１）が終了しないと、次の商品決済処理は開始しない。また、この入金金額のチェック処理（ステップＳ３０１）の詳細な処理手順は後述する。
【０１２１】
図１３（ａ）に示した決済画面で釣銭金額を指定する操作が行われた場合（ステップＳ１０６；Ｎｏ、ステップＳ３０２；Ｙｅｓ）には、商品決済処理部１３３０ａは、決済画面で操作されたボタンに応じて予定入金金額を決定する（ステップＳ３０３）。具体的には、商品決済処理部１３３０ａは、商品の合計金額と、決済画面で操作された釣銭金額とを加算した金額を予定入金金額とする。
【０１２２】
また、商品決済処理部１３３０ａは、入金チェックログデータ１３３４ｃにレコードを追加して、追加したレコードに決済画面で指定された釣銭金額及び商品の合計金額等の情報を登録して（ステップＳ３０４）、ステップＳ１０７に移行する。ステップＳ３０４で生成された入金チェックログデータ１３３４ｃのレコードには、入金チェックのチェック結果及び入金金額の情報は未登録の状態となる。
【０１２３】
次に、図１４に示した入金金額チェック処理（ステップＳ３０４）の詳細な処理手順について説明する。図１５は、図１４に示した入金金額チェック処理（ステップＳ３０４）の詳細な処理手順を示すフローチャートである。
【０１２４】
入金チェックログデータ１３３４ｃに追加された入金金額チェック処理が未処理のレコードが有る場合には（ステップＳ４０１；Ｙｅｓ）、入金チェック部１３３０ｃは、硬貨釣銭機１００及び紙幣釣銭機２００に顧客から受け取った貨幣を入金する旨の指示である入金指示を送信する（ステップＳ４０２）。入金チェックログデータ１３３４ｃに追加された入金金額チェック処理が未処理のレコードが無い場合には（ステップＳ４０１；Ｎｏ）、処理を終了する。
【０１２５】
硬貨釣銭機１００又は紙幣釣銭機２００から入金した貨幣の入金結果を受信したならば（ステップＳ４０３；Ｙｅｓ）、入金チェック部１３３０ｃは、入金金額確認画面に表示される実際の入金金額の表示を更新して（ステップＳ４０４）、ステップＳ４０３に戻る。
【０１２６】
入金金額確認画面において、「完了」ボタンの操作を受け付けたならば（ステップＳ４０３；Ｎｏ、ステップＳ４０５；Ｙｅｓ）、入金チェック部１３３０ｃは、予定入金金額と、実際の入金金額との差額がゼロであるか否かをチェックし（ステップＳ４０６）、実際の入金金額及びチェック結果を入金チェックログデータ１３３４ｃに追加されたレコードに登録する（ステップＳ４０７）。ステップＳ４０６の入金金額のチェック処理で異常と判定された場合には（ステップＳ４０８；Ｎｏ）、入金チェック部１３３０ｃは、入金金額が正しくない旨のメッセージを表示して（ステップＳ４０９）、処理を終了する。また、ステップＳ４０６の入金金額のチェック処理で正常と判定された場合には（ステップＳ４０８；Ｙｅｓ）、ステップＳ４０９の処理をスキップして処理を終了する。
【０１２７】
上述してきたように、実施例２では、ＰＯＳレジスタ１３００で販売する商品の合計金額を特定し、釣銭金額の入力を受け付けたならば、ＰＯＳレジスタ１３００は、顧客から受け付けた貨幣の計数処理及び収納処理に先立って、受け付けた釣銭金額に応じた釣銭を払い出し、レシートを発行するように制御する。また、ＰＯＳレジスタ１３００は、レシートを発行した後に、顧客から受け付けた貨幣の計数処理及び収納処理を行うように制御し、計数処理結果と、商品の合計金額と、釣銭金額との整合性を判定するようにした。かかる構成により、ＰＯＳ端末に釣銭機が接続された貨幣処理システムを用いて決済処理を行う場合に、状況に応じて効率良く顧客の待ち時間を低減することができる。
【０１２８】
なお、実施例２では、図１４に示したように、釣銭がない旨若しくは釣銭金額の指定操作をＰＯＳレジスタ１３００で行う旨を説明してきたが、本発明はこれに限定されるものではない。例えば、硬貨釣銭機１１００において実施例１の図８で示したような画面で釣銭がない旨若しくは釣銭金額の指定操作を受け付けて、ＰＯＳレジスタ１３００は硬貨釣銭機１１００から受け付けた操作内容を受け取るようにしてもよい。
【０１２９】
また、上述の実施例１及び実施例２では、釣銭金額を容易に店員が判断可能な場合に、店員の判断結果を受け付け可能とし、受け付けた店員の判断結果に基づいて、顧客から受け取った貨幣の計数処理及び収納処理に先立って釣銭の払い出し処理及びレシートの発行処理を行うよう制御したが、本発明はこれに限定されるものではない。例えば、ＰＯＳレジスタ３００、１３００の吟味台に置かれた貨幣の画像をカメラで撮像し、撮像した画像に基づいて顧客から受け取った貨幣の金額を特定し、特定した金額が商品の合計金額と一致した場合には、釣銭がないことを自動で判定するようにしてもよい。
【０１３０】
また、上述の実施例１及び実施例２では、商品決済処理を担当する店員が誰であっても同様の制御をするものとして説明してきたが、本発明はこれに限定されるものではない。例えば、店員のランクによって顧客から受け取った貨幣の計数処理及び収納処理に先立って、釣銭の払い出し処理及びレシートの発行処理を行う機能を制限するようにしてもよい。
【０１３１】
また、上述の実施例１及び実施例２では、店員が、店員だけの判断において釣銭が無い旨の入力若しくは払い出す釣銭金額を入力できる旨を説明してきたが、本発明はこれに限定されるものではない。例えば、店員による釣銭が無い旨の入力若しくは釣銭金額の入力を受けつけたならば、顧客向けに店員の入力内容を表示するとともに、顧客による店員の入力内容を確認した旨の操作を受け付け可能として、顧客の確認した旨の操作を受け付けたならば店員による釣銭が無い旨の入力若しくは払い出す釣銭金額の入力を有効とするよう制御してもよい。
【０１３２】
また、上述の実施例１及び実施例２では、コンビニエンスストアのＰＯＳシステムに適用した場合として説明してきたが、本発明はコンビニエンストアに限定されるものではない。例えば、スーパーマーケット及び百貨店などの大規模な商業施設のＰＯＳシステムに適用してもよいし、飲食店及び個人商店などのより規模が小さな店舗のＰＯＳシステムに適用してもよい。
【０１３３】
また、上述の実施例１及び実施例２で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３４】
以上のように、本発明に係る貨幣処理システム、貨幣処理装置及び貨幣処理方法は、決済処理を行う場合に、状況に応じて効率良く顧客の待ち時間を低減することに適している。
【符号の説明】
【０１３５】
１００、１１００  硬貨釣銭機
１０１  硬貨識別部
１０３  入金搬送部
１０４  分岐部
１０６  硬貨収納部
１０８  出金搬送部
１１２  操作表示部
１１２ａ、３０２  表示部
１１２ｂ、３０４  操作部
１１２ｃ  出金リジェクト部状態表示
１１２ｄ  回収カセット状態表示
１１２ｅ  貨幣収納部状態表示
１１２ｆ  計数金額表示
１１２ｇ  ファンクション表示
１１４  硬貨受入部
１１６  硬貨払出部
１３０、２３０、３３０  制御部
１３０ａ、２３０ａ  入出金処理部
１３０ｂ、２３０ｂ、３３０ｂ  補充回収処理部
１３０ｃ、１３３０ｃ  入金チェック部
１３２、２３２、３３２  通信部
１３４、２３４、３３４  記憶部
１３４ａ  硬貨在高データ
１３４ｂ、２３４ｂ  入出金履歴データ
１３４ｃ、１３３４ｃ  入金チェックログデータ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２１４  紙幣受入部
２１４ａ  紙幣受入口
２１６  紙幣払出部
２１６ａ  紙幣取出口
２３４ａ  紙幣在高データ
３００、１３００  ＰＯＳレジスタ
３０２ａ  追加表示部
３０６  プリンタ
３０６ａ  レシート取出口
３０８  バーコードリーダ
３１０  カードリーダ
３１０ａ  スリット
３３０ａ、１３３０ａ  商品決済処理部
３３４ａ  在高データ
３３４ｂ  取引履歴データ
【図１】
2017049944.tif 000003
【図２】
2017049944.tif 000004
【図３】
2017049944.tif 000005
【図４】
2017049944.tif 000006
【図５】
2017049944.tif 000007
【図６】
2017049944.tif 000008
【図７】
2017049944.tif 000009
【図８】
2017049944.tif 000010
【図９】
2017049944.tif 000011
【図１０】
2017049944.tif 000012
【図１１】
2017049944.tif 000013
【図１２】
2017049944.tif 000014
【図１３】
2017049944.tif 000015
【図１４】
2017049944.tif 000016
【図１５】
2017049944.tif 000017